(57)【要約】      （修正有）【課題】撥油コーティングが施された携帯電話等であっても、剥がれにくい態様で設置できる盗難防止装置を提供する。【解決手段】盗難防止装置１０は、商品から外れると警報機から警告音を発する盗難防止用のタグ３０と、商品を挟持する挟持具２０と、挟持具が開くのを抑制する締結部材２５と、を有する。挟持具２０は、商品の表面又は裏面の一方の面にタグ３０を接触させ、そのタグを押圧する部分に第１の滑り止め部材２１ａを備えるタグ固定部２１と、商品の他方の面に接触する部分に第２の滑り止め部材２２ａを備える固定部２２と、タグ固定部と固定部とを繋ぐＵ型部材２３と、を具備する。【選択図】図１
0003188377.tif 000002
【実用新案登録請求の範囲】
【請求項１】
商品から外れると警報機から警告音を発する盗難防止用のタグと、
商品の表面又は裏面の一方の面に前記タグを接触させ、前記タグを押圧する部分に第１の滑り止め部材を備えるタグ固定部と、商品の他方の面に接触する部分に第２の滑り止め部材を備える固定部と、前記タグ固定部と前記固定部とを繋ぐＵ型部材と、を具備し商品を挟持する挟持具と、
前記タグ固定部と前記固定部とを繋ぎ、前記挟持具が開くのを抑制する締結部材と、
を有することを特徴とする盗難防止装置。
【請求項２】
前記締結部材が、結束バンドであることを特徴とする請求項１に記載の盗難防止装置。
【請求項３】
前記第１の滑り止め部材が粘着性を有する部材であり、前記第２の滑り止め部材が粘着性を有する部材又は吸盤であることを特徴とする請求項１又は２に記載の盗難防止装置。
【請求項４】
前記挟持部材が、前記タグから延びるケーブルを固定するケーブル固定部を有することを特徴とする請求項１から３のいずれかに記載の盗難防止装置。
【考案の詳細な説明】
【技術分野】
【０００１】
本考案は、携帯電話（スマートフォン）等に用いられる盗難防止装置に関する。
【背景技術】
【０００２】
家電量販店等では、商品や商品の見本などを展示し、購入者はその商品等を手に取ってデザインや操作性などを確認し、購入するかどうかを決定するという販売形態が多い。そして、このように展示している商品等は盗難されやすいので、盗難防止装置を取り付けて対策されている（例えば、特許文献１，２）。
【０００３】
なお、携帯電話等に対する近年の盗難傾向として、携帯電話等の本体ではなく、それに用いられている電池パックやＳＩＭカードのみが盗難されるという事態も多くなっている。
【０００４】
一般的な盗難防止装置は、商品に盗難防止用のタグを直接貼付するタイプであり、図４は、そのようなタグの斜視図である。タグ３０は、ピン３１を商品等に押し当てて、タグ内にピン３１を押し込んだ状態で商品と両面テープ５０で接着される。そして、タグ３０が商品から取り外されると、ピン３１が突出し、警告音を発するという構成になっている。
【０００５】
タッチパネルを搭載することが主流となった携帯電話（スマートフォン）やタブレット端末、デジタルカメラ等では、カバーガラスに指紋等の油脂が付着しやすいため、フッ素コート剤による撥油コーティングが施されているものが多くなっている。そして、このようなカバーガラスに従来の盗難防止用のタグ３０を直接取り付けた場合、タグ３０に貼られている両面テープ５０と貼付ける商品との接着面積が小さく、かつ撥油コーティングにより接着力が弱くなるため、両面テープ５０だけでは剥がれやすい。そうすると、不必要な場面で盗難防止装置が作動してしまい、頻繁に営業を妨げるという事態になってしまう。また、タグ３０には電源等に繋がるケーブル４０が接続しているため、ケーブル４０が衣服等に引っ掛かってカバーガラスの法線方向に引っ張られると、簡単にタグ３０が外れることになる。
【０００６】
そこで、このような撥油コーティングが施された携帯電話等であっても、剥がれにくい態様で設置できる盗難防止装置が考えられている（特許文献３参照）。図５は、携帯電話にシートを使った盗難防止装置を取り付けた図であり、（ａ）は正面図、（ｂ）は左側面図、（ｃ）は背面図である。この盗難防止装置１１０では、携帯電話１００の表面１０１から側面を通り裏面にかけてシート１２０を接着し、そのシート１２０の上にタグ３０を接着することで剥がれにくくし、さらに、ケーブル４０を裏面側でシート１２０によって固定している。
【０００７】
しかし、近年の携帯電話等（特にスマートフォン）では、表面のカバーガラスだけでなく、裏面にも指紋等が付き難くするための撥油コーティングが施されたものがある。そうするとシートの接着力だけでは十分ではなく、裏面側でケーブルを固定することも難しくなっている。
【先行技術文献】
【特許文献】
【０００８】
【特許文献１】特開２０００−３０１５６号
【特許文献２】特開平１０−２２２７７２号
【特許文献３】実用新案登録第３１８４７３２号
【考案の概要】
【考案が解決しようとする課題】
【０００９】
これらの実情に鑑み、本考案は、滑り易くて盗難防止装置を設置し難い携帯電話等であっても、盗難防止用のタグを剥がれにくい態様で設置することができ、かつ、電池パックやＳＩＭカードの盗難防止も兼ねることができる盗難防止装置を提供することを目的とする。
【課題を解決するための手段】
【００１０】
上記の目的を達成するために、本考案に係る盗難防止装置は、商品から外れると警報機から警告音を発する盗難防止用のタグと、商品の表面又は裏面の一方の面にタグを接触させ、そのタグを押圧する部分に第１の滑り止め部材を備えるタグ固定部と、商品の他方の面に接触する部分に第２の滑り止め部材を備える固定部と、タグ固定部と固定部とを繋ぐＵ型部材と、を具備し商品を挟持する挟持具と、タグ固定部と固定部とを繋ぎ、挟持具が開くのを抑制する締結部材と、を有することを特徴とするものである。
【００１１】
ここで、締結部材を結束バンドにしたり、第１の滑り止め部材が粘着性を有する部材、第２の滑り止め部材が粘着性を有する部材又は吸盤であることにするとよい。さらに、挟持部材が、タグから延びるケーブルを固定するケーブル固定部を有することにするとよい。
【考案の効果】
【００１２】
本考案によれば、盗難防止用のタグを携帯電話等に押圧して強固に挟持することができるので、撥油コーティング等で滑り易い携帯電話等に対しても、剥がれにくい態様で盗難防止装置を設置することができるという効果を奏する。また、挟持具は、携帯電話等の表面と裏面を繋いでいるので、電池パックやＳＩＭカードの盗難防止にもなる。
【図面の簡単な説明】
【００１３】
【図１】携帯電話に盗難防止装置を取り付けた図であり、（ａ）は正面図、（ｂ）は背面図、（ｃ）は上面図、（ｄ）は左側面図である。
【図２】挟持具の斜視図である。
【図３】挟持具で挟持する状況を説明する図である。
【図４】タグの斜視図である。
【図５】携帯電話にシートを使った盗難防止装置を取り付けた図であり、（ａ）は正面図、（ｂ）は左側面図、（ｃ）は背面図である。
【考案を実施するための形態】
【００１４】
以下、本考案の実施の形態を添付図面を参照して説明する。なお、ここでは、盗難防止装置を取り付ける商品として携帯電話（スマートフォン）の例を示すが、当然、タブレット端末やデジタルカメラであっても、同様の盗難防止装置を取り付けることが可能である。
【００１５】
図１は、携帯電話に盗難防止装置を取り付けた図であり、（ａ）は正面図、（ｂ）は背面図、（ｃ）は上面図、（ｄ）は左側面図である。また、図２は、挟持具の斜視図である。
【００１６】
本考案の盗難防止装置１０は、外れるとピンが突出して警報機３５から警告音を発する従来の盗難防止用のタグ３０を、挟持具２０を使って携帯電話１００に固定するものである。
【００１７】
挟持具２０は、携帯電話１００を表面側と裏面側とから挟持するもので、携帯電話等１００の一方の面にタグ３０を押圧して固定するタグ固定部２１と、他方の面から押さえる固定部２２と、タグ固定部２１と固定部２２とを繋ぐＵ型部材２３とからなる。また、挟持具２０に締結部材２５を取り付けて、挟持具２０が開くのを抑制している。
【００１８】
図１では、携帯電話１００の表面側にタグ３０を固定している。ここで、携帯電話１００の表面は、撥油コーティングによって滑り易くなっていることがあるので、タグ３０を押圧するタグ固定部２１には、第１の滑り止め部材２１ａを設けて、タグ３０が滑って外れることを防いでいる。第１の滑り止め部材２１ａとしては、具体的には、粘着性を有するゴム等の部材や、両面テープといったものが用いられる。なお、タグ３０の固定を強固にするために、タグ３０と携帯電話１００との間にも両面テープを貼付しておくことが望ましい。
【００１９】
携帯電話１００の裏面側では、固定部２２が携帯電話１００を押さえている。ここで、近年の携帯電話１００は、裏面側にも撥油コーティングが施されているものがあるため、固定部２２には第２の滑り止め部材２２ａを備えて対応することとする。第２の滑り止め部材２２ａとしては、粘着性を有するゴム等の部材や両面テープでもよいが、吸盤を用いることもできる。なお、吸盤は、できれば複数個設けた方が、挟持具２０が安定してよい。
【００２０】
また、タグ３０から延びて電源や警報機３５（タグの親機）に繋がっているケーブル４０は、引っ張られることで、タグ３０が外れる原因になり易い。そこで、例えば図１では、ケーブル４０は、携帯電話１００に沿って裏面側に導かれ、固定部２２によって携帯電話１００の裏面に押圧した状態で固定されている。このとき、ケーブル４０を固定し易いように、挟持具２０にはケーブル固定部２２ｂ（例えば、ケーブル４０が通る溝等）を設けておくとよい。このように、携帯電話１００に沿わせることで、ケーブル４０が衣服等に引っ掛かる心配もなくなる。また、ケーブル固定部２２ｂは、ケーブル４０が邪魔にならない態様であれば、固定部２２側に限らず、挟持具２０のどこに設けてもよい。なお、警報機３５は、商品棚等に固定されることが多いが、携帯電話１００の裏面が滑り難い場合には、裏面に貼付してもよい。
【００２１】
次に、本考案の盗難防止装置１０の設置の方法を図を用いて説明する。図３は、挟持具で挟持する状況を説明する図である。
【００２２】
まず、タグ３０を携帯電話１００の表面に両面テープを使って貼付する。このとき、ケーブル４０は、携帯電話１００に沿わして裏面側に導いておく。そして、タグ３０をタグ固定部２１ａに嵌め、ケーブル４０をケーブル固定部２２ｂを通るようにして、挟持具２０で携帯電話１００を挟持する。
【００２３】
このように、挟持具２０により携帯電話１００やタグ３０を挟持するのであるが、挟持具３０だけでは、固定力が弱かったり、また、携帯電話１００の厚さによっては、挟持具３０のサイズが合わないこともある。そこで、タグ固定部２１と固定部２２とを締結部材２５で繋ぎ、締め付けることで挟持力を高め、挟持具３０が開くのを抑制するとよい。また、この構成であれば、様々な厚さの携帯電話１００に対しても、使用することができる。
【００２４】
ここで、締結部材２５としては、結束バンドを用いることができる。結束バンドを使用する場合は、タグ固定部２１と固定部２２にスリットを２箇所ずつ設けておいて結束バンドを通して締め付けるか、タグ固定部２１と固定部２２とを外側からまとめるようにして締め付ければよい。そして、締め付け後、長さの余った部分を切除しておけば、携帯電話１００を手にしたときに邪魔にならない。また、結束バンドを使えば、容易に緩むことがなく、外したいときには切断すればよい。そして改めて挟持具２０を使いたい場合には、新たな結束バンドを使えばよいから、非常に手軽である。
【００２５】
なお、当然であるが結束バンド以外の締結部材２５を用いてもよい。例えば、ネジ等を用いれば、タグ固定部２１と固定部２２を引き寄せることができるように繋ぐことができる。
【００２６】
タグ３０は、携帯電話１００の裏面に取り付けてもよく、その場合は、挟持具２０を前後逆にすればよい。また、電池カバー１０２は、携帯電話１００の裏面に設けられていることが多いのだが、本考案の盗難防止装置１０を設置すれば携帯電話１００を表裏から挟持することになるので、電池カバー１０２を容易に開けることができず、電池パックやＳＩＭカードの盗難を防止することもできる。
【符号の説明】
【００２７】
１０ 盗難防止装置
２０ 挟持具
２１ タグ固定部
２１ａ 第１の滑り止め部材
２２ 固定部
２２ａ 第２の滑り止め部材
２２ｂ ケーブル固定部
２３ Ｕ型部材
２５ 締結部材
３０ タグ
３０ａ 両面テープ
３１ ピン
３５ 警報機
４０ ケーブル
１００ 携帯電話（スマートフォン）
１０２ 電池カバー
【図１】
0003188377.tif 000003
【図２】
0003188377.tif 000004
【図３】
0003188377.tif 000005
【図４】
0003188377.tif 000006
【図５】
0003188377.tif 000007